(57)【要約】【課題】  画像形成媒体の印字内容と共に動画データをリアルタイムで参照できるようにした画像形成装置および動画データ搭載画像形成媒体出力方法を提供する。【解決手段】  動画サイズ調整部１４でデータサイズを調整した動画データをＩＣタグ情報記録部１５で印刷用紙などの画像形成媒体に埋め込まれたＩＣタグやＲＦＩＤタグなどの記憶媒体に記録する。また、並行して予め指定されたレートに従ってＩＣタグに記録する動画データから静止画像を静止画情報切り出し部１２で切り出し、動画データを記録したＩＣタグが埋め込まれた画像形成媒体に媒体情報出力部１３で印刷出力する。【選択図】図１
2007083663.tif 000002
【特許請求の範囲】
【請求項１】
記憶媒体が搭載された画像形成媒体に画像を形成する画像形成装置であって、
前記記憶媒体に動画データを書き込む動画データ書込み手段と、
前記動画データから所定の静止画像を切り出す静止画像切出し手段と、
前記静止画像切出し手段により切り出した静止画像を前記画像形成媒体上に形成する画像生成手段と
を具備することを特徴とする画像形成装置。
【請求項２】
前記動画データ書込み手段は、
前記動画データを解析し、該動画データのファイルサイズを前記記憶媒体の記憶容量に対応してサイズ調整するサイズ調整手段
を具備し、前記サイズ調整手段でサイズ調整した動画データを前記記憶媒体に書き込む
ことを特徴とする請求項１記載の画像形成装置。
【請求項３】
前記静止画像切出し手段は、
前記動画データに含まれる特定情報を参照して所定のレート毎に該動画データから複数の静止画像を切り出し、
前記画像生成手段は、
前記静止画像切出し手段で切り出した複数の静止画像を前記画像形成媒体上に形成する
ことを特徴とする請求項１記載の画像形成装置。
【請求項４】
記憶媒体が搭載された画像形成媒体に画像を形成する画像形成装置であって、
前記記憶媒体に動画データを書き込む動画データ書込み手段と、
前記動画データを解析して該動画データの付帯情報を抽出する付帯情報抽出手段と、
前記付帯情報抽出手段で抽出した前記動画データの付帯情報を前記画像形成媒体上にテキストデータ印字する画像生成手段と
を具備することを特徴とする画像形成装置。
【請求項５】
記憶媒体が搭載された画像形成媒体に画像を形成する画像形成装置であって、
前記動画データを解析して該動画データから複数の静止画像を含む静止画像群を生成する静止画像群生成手段と、
前記静止画像群生成手段で生成した前記静止画像群を前記記憶媒体に書き込む静止画像群書込み手段と、
前記動画データを解析して該動画データの付帯情報を抽出する付帯情報抽出手段と、
前記付帯情報抽出手段で抽出した前記動画データの付帯情報を前記画像形成媒体上にテキストデータ印字する画像生成手段と
を具備することを特徴とする画像形成装置。
【請求項６】
記憶媒体が搭載された画像形成媒体に画像を形成する画像形成装置であって、
前記動画データを解析して該動画データから複数の静止画像を含む静止画像群を生成する静止画像群生成手段と、
前記静止画像群生成手段で生成した前記静止画像群を前記記憶媒体に書き込む静止画像群書込み手段と、
前記静止画像群生成手段で生成した前記静止画像群の少なくとも１つの静止画像を前記画像形成媒体上に形成する画像生成手段と
を具備することを特徴とする画像形成装置。
【請求項７】
記憶媒体が搭載された画像形成媒体に画像を形成する画像形成装置を用いた動画データ搭載画像形成媒体出力方法において、
前記記憶媒体に動画データを動画データ書込み手段で書き込み、
前記動画データから所定の静止画像を静止画像切出し手段で切出し、
前記静止画像切出し手段により切り出した静止画像を前記画像形成媒体上に形成する
ことを特徴とする動画データ搭載画像形成媒体出力方法。
【発明の詳細な説明】
【技術分野】
【０００１】
本発明は、動画データを記録した印刷媒体の印刷出力を行う画像形成装置および動画データ搭載画像形成媒体出力方法に関し、特に、該動画データをリアルタイムで再生することができるようにした画像形成装置および動画データ搭載画像形成媒体出力方法に関する。
【背景技術】
【０００２】
近年の画像処理技術の向上や文書作成アプリケーションの高機能化に伴い、文字列や表などから構成される文書に画像データを加えた文書を簡単に作成することができるようになっている。例えば、所定の場所までの地図を文書に貼り付け、案内文を作成することができる。また、ＤＶ（Digital Video：デジタルビデオ）や携帯電話に付属された動画撮影機能などの発展により動画データの利用割合が向上している。
【０００３】
一般に、作成された文書に動画データを対応付けるには、その文書に動画データを格納した記憶領域または記憶デバイスを指し示す情報、例えば、ＵＲＬ（Uniform Resource Locator）やバーコードなどのアドレス情報を文書に印刷しておき、ＷＥＢブラウザ上にＵＲＬを入力するか所定の読取装置によりそのＵＲＬやバーコードの読み取りを行うかによって対応する動画データにアクセスすることができるようになる。そして、アクセスした記憶領域や記憶デバイスに記憶された動画データを再生することで参照できる。
【０００４】
すなわち、文字列などから構成される文書とその文書に対応する動画データが分離された状態にあり、文書とは別に動画データを管理する必要がある。このような構成では、必要とする動画データをすぐに参照することができない場合がある。
【０００５】
例えば、文書に動画データが記憶されたＵＲＬが記載されている状態であってもＷＥＢブラウザをすぐに利用できる環境にない場合や、バーコードによって動画データの記憶位置が示された状態であっても所定のバーコードリーダが手元になくバーコードを読み取ることができない場合などが考えられる。
【０００６】
これでは、必要なときに必要な情報がリアルタイムで参照することができないという問題がある。
【０００７】
文書識別子、文書に関連する説明文、音声情報、画像情報、動画情報などの各情報を用紙等の媒体上に機械認識可能な形で印刷した後、その印刷された情報を小型の読み取り装置により読み取り、該読み取り結果から当該情報を認識して当該情報に最適な形で再生する従来技術として、特許文献１に開示されたものがある。
【特許文献１】特開平１１−００３３５３
【発明の開示】
【発明が解決しようとする課題】
【０００８】
しかしながら、特許文献１に示された従来技術においては、印字されるデータと動画情報は、それぞれ別の出力装置で出力されることとなり、同時に提供することができないという問題がある。
【０００９】
そこで、本発明は、画像形成媒体の印字内容と共に動画データをリアルタイムで参照できるようにした画像形成装置および動画データ搭載画像形成媒体出力方法を提供することを目的とする。
【課題を解決するための手段】
【００１０】
上記目的を達成するため、請求項１の発明は、記憶媒体が搭載された画像形成媒体に画像を形成する画像形成装置であって、前記記憶媒体に動画データを書き込む動画データ書込み手段と、前記動画データから所定の静止画像を切り出す静止画像切出し手段と、前記静止画像切出し手段により切り出した静止画像を前記画像形成媒体上に形成する画像生成手段とを具備することを特徴とする。
【００１１】
また、請求項２の発明は、請求項１の発明において、前記動画データ書込み手段は、前記動画データを解析し、該動画データのファイルサイズを前記記憶媒体の記憶容量に対応してサイズ調整するサイズ調整手段を具備し、前記サイズ調整手段でサイズ調整した動画データを前記記憶媒体に書き込むことを特徴とする。
【００１２】
また、請求項３の発明は、請求項１の発明において、前記静止画像切出し手段は、前記動画データに含まれる特定情報を参照して所定のレート毎に該動画データから複数の静止画像を切り出し、前記画像生成手段は、前記静止画像切出し手段で切り出した複数の静止画像を前記画像形成媒体上に形成することを特徴とする。
【００１３】
また、請求項４の発明は、記憶媒体が搭載された画像形成媒体に画像を形成する画像形成装置であって、前記記憶媒体に動画データを書き込む動画データ書込み手段と、前記動画データを解析して該動画データの付帯情報を抽出する付帯情報抽出手段と、前記付帯情報抽出手段で抽出した前記動画データの付帯情報を前記画像形成媒体上にテキストデータ印字する画像生成手段とを具備することを特徴とする。
【００１４】
また、請求項５の発明は、記憶媒体が搭載された画像形成媒体に画像を形成する画像形成装置であって、前記動画データを解析して該動画データから複数の静止画像を含む静止画像群を生成する静止画像群生成手段と、前記静止画像群生成手段で生成した前記静止画像群を前記記憶媒体に書き込む静止画像群書込み手段と、前記動画データを解析して該動画データの付帯情報を抽出する付帯情報抽出手段と、前記付帯情報抽出手段で抽出した前記動画データの付帯情報を前記画像形成媒体上にテキストデータ印字する画像生成手段とを具備することを特徴とする。
【００１５】
また、請求項６の発明は、記憶媒体が搭載された画像形成媒体に画像を形成する画像形成装置であって、前記動画データを解析して該動画データから複数の静止画像を含む静止画像群を生成する静止画像群生成手段と、前記静止画像群生成手段で生成した前記静止画像群を前記記憶媒体に書き込む静止画像群書込み手段と、前記静止画像群生成手段で生成した前記静止画像群の少なくとも１つの静止画像を前記画像形成媒体上に形成する画像生成手段とを具備することを特徴とする。
【００１６】
また、請求項７の発明は、記憶媒体が搭載された画像形成媒体に画像を形成する画像形成装置を用いた動画データ搭載画像形成媒体出力方法において、前記記憶媒体に動画データを動画データ書込み手段で書き込み、前記動画データから所定の静止画像を静止画像切出し手段で切出し、前記静止画像切出し手段により切り出した静止画像を前記画像形成媒体上に形成することを特徴とする。
【発明の効果】
【００１７】
本発明によれば、画像形成媒体にＩＣタグやＲＦＩＤタグなどの記憶媒体を埋め込み、そのＩＣタグやＲＦＩＤタグなどの記憶媒体に動画データを記憶すると共にその動画データに係る情報を画像形成媒体に印刷出力するように構成したので、必要とする動画データが記憶された画像形成媒体を簡単に判断することができ、必要とする動画データを必要なときに確認することができるという効果を奏する。
【発明を実施するための最良の形態】
【００１８】
以下、本発明に係わる画像形成装置および動画データ搭載画像形成媒体出力方法の一実施例を添付図面を参照して詳細に説明する。
【００１９】
なお、以下の実施例では、画像形成媒体として印刷用紙を中心に説明するが、印刷用紙に限られることなくカードであってもよい。すなわち、画像形成媒体の形状や用途に限られることなく印字可能であって記憶媒体であるＩＣ（Integrated Circuit）タグやＲＦＩＤ（Radio Frequency Identification）タグなどの記憶媒体が内蔵できる画像形成媒体であればよい。
【実施例１】
【００２０】
図１は、本発明に係わる画像形成装置および動画データ搭載画像形成媒体出力方法を適用して構成した画像形成装置のブロック構成図である。
【００２１】
図１において、画像形成装置１０は、動画データ解析部１１、静止画情報切り出し部１２、媒体情報出力部１３、動画サイズ調整部１４、ＩＣタグ情報記録部１５、記憶部１６、プリントエンジン１７を具備して構成され、接続されたクライアントコンピュータ（図示せず）からの動画データが含まれた印刷要求を受け付けることにより動画データを記録した印刷用紙を出力する。
【００２２】
印刷出力する画像形成媒体である印刷用紙には、デジタルデータを記憶可能なＩＣタグやＲＦＩＤタグなどの記憶媒体が内蔵されており、印刷要求に含まれる動画データをそのＩＣタグやＲＦＩＤタグに記録して印刷文書を出力する。なお、以下の本願発明の実施例においては、記録媒体であるＩＣタグやＲＦＩＤタグをＩＣタグとしてひとまとめにして記述する。
【００２３】
動画データ解析部１１は、印刷要求に含まれる動画データを解析することにより、その動画データの属性情報に含まれる動画形式を示した形式情報、ファイルサイズや再生時間などのサイズを示すデータサイズ情報、チャプター情報などを参照する。データ解析が行われた動画データは、以下の２つの異なる論理パスによって処理される。
【００２４】
（１）静止画情報切り出し部１２を介した動画データにかかる静止画情報の印刷出力パス
（２）動画サイズ調整部１４を介した動画データの記録パス
である。これら２つの論理パスによる処理は、並行して行われる。
【００２５】
まず、（１）印刷出力パスにおける構成と処理内容を示す。
【００２６】
静止画情報切り出し部１２は、動画データ解析部１１によって属性情報の解析が行われた動画データから予め指定されたレートごとの静止画像を切り出す。
【００２７】
例えば、１／５レートで切り出しを行った場合には、５秒ごとに１枚の静止画像が切り出され、３０秒からなる動画データでは、６枚の静止画像が切り出される。
【００２８】
媒体情報出力部１３は、静止画情報切り出し部１２によって切り出された静止画像をビットマップデータに変換してプリントエンジン１７に転送する印刷出力処理を行う。例えば、静止画情報切り出し部１２で６枚の静止画像が切り出された場合には、上下に３枚づつ配置して印刷出力する。もちろん、このときの静止画像のレイアウトを指定できるような構成にしてもよい。
【００２９】
プリントエンジン１７は、媒体情報出力部１３から転送されてきたビットマップデータを印字する。
【００３０】
これにより、切り出された静止画像を印刷用紙に印字することができる。
【００３１】
次に、（２）動画データの記録パスにおける構成と処理内容を示す。
【００３２】
動画サイズ調整部１４は、動画データ解析部１１で解析した動画データのデータサイズとＩＣタグ情報記録部１５により読み取ったＩＣタグの容量を比較する。動画データのデータサイズがＩＣタグの容量よりも大きい場合には、その動画データをＩＣタグに登録することができないため、動画データのデータサイズを調整する。
【００３３】
このときの調整方法として、
（方法Ａ）最適なデータサイズ分の動画データを切り出すことによって調整
（方法Ｂ）フレームレートや解像度を変更することで調整
（方法Ｃ）動画データを圧縮することで調整
がある。
【００３４】
（方法Ａ）では、全ての動画データをＩＣタグに記録するのではなく、ＩＣタグの容量を超過するデータサイズ分の動画データを切り取ることによりデータサイズをＩＣタグの容量以下に調整する。（方法Ｂ）では、単位時間当たりの表示枚数を示したフレームレートを低く設定したり、解像度を落としたりすることで調整を行う。（方法Ｃ）では、ＲＡＷデータの動画データを圧縮したり、圧縮比率の高い圧縮形式で圧縮したりすることで調整を行う。
【００３５】
ＩＣタグ情報記録部１５は、ＩＣタグリーダライタともいい、ＩＣタグから動画データの読み取りを行うほか、動画データの書き込みを行う。また、ＩＣタグに書き込み可能なデータサイズをＩＣタグを読み取ることで調査する。そして、動画サイズ調整部１４によってサイズ調整された動画データをＩＣタグに書き込む処理を行う。
【００３６】
以上に示すような２つの論理パスによる印刷出力処理と動画データの書き込み処理は、相互間で連携して行われる。すなわち、静止画情報切り出し部１２での処理と動画サイズ調整部１４での処理は独立して動作可能であるが、印刷用紙への印字、記録にかかる処理のみを連携して行う。
【００３７】
このときの相互間の連携による処理の流れを図３のフローチャートに示す。
【００３８】
そして、以上に示すような構成における処理遷移を以下に示す。
【００３９】
まず、接続されたクライアントコンピュータなどから動画データとともに印刷要求を受け付けると、動画データ解析部１１が受信した動画データの属性情報からデータサイズ情報やチャプター情報などを解析することによりその動画データに関する情報を参照する。解析した情報は一時的に記憶部１６に記憶され、解析した動画データを静止画情報切り出し部１２と動画サイズ調整部１４にそれぞれ送信する。次に、静止画情報切り出し部１２と動画サイズ調整部１４はそれぞれ並行して処理を行う。
【００４０】
一方の静止画切り出し部１２では、受信した動画データから所定のレートごとに静止画像の切り出しを行う。切り出された静止画像も一時的に記憶部に記憶される。このとき、静止画像の切り出しには所定のアルゴリズムが用いられ、静止画像の切り出し条件を変更するにはアルゴリズムを切り替えることにより行われる。
【００４１】
静止画切り出し部１２で切り出された静止画像を媒体情報出力部１３に転送することにより、媒体情報出力部１３がその静止画像の印刷出力を制御してプリントエンジン１７によって印刷出力が行われる。
【００４２】
もう一方の動画サイズ調整部１４では、動画データ解析部１１による解析結果として得られる動画データのデータサイズ（動画データに付加された各種情報を含む）とＩＣタグ情報記録部１５により読み取られた印刷用紙に内蔵するＩＣタグの記憶容量とを比較し、最適な動画サイズを（方法Ａ）〜（方法Ｃ）のいずれかの方法を用いて調整する。
【００４３】
そして、動画サイズ調整部１４からＩＣタグ情報記録部１５に対してサイズ調整が行われた動画データの書き込みを指示すると、ＩＣタグ情報記録部１５がサイズ調整された動画データをＩＣタグへ記録する。
【００４４】
なお、プリントエンジン１７による静止画像の印刷出力とＩＣタグ情報記録部１５による動画データの書き込みは、相互に制御されて印刷文書が作成される。このときの相互制御の流れを図３に示す。
【００４５】
以上の処理により、作成された印刷文書には、所定のレートで切り出された静止画像が印刷され、内蔵されたＩＣタグに動画データが記録される。つまり、静止画像は、記録した動画データの内容を示すほかにインデックスの役割を果たすことができるため、その動画データを再生しなくとも内容を確認することができる。
【００４６】
なお、以上の処理遷移では、動画データから所定のレートに基づいて切り出した静止画像の印刷出力処理とＩＣタグへの動画データの記録処理は、独立して動作可能であることからいずれか一方の処理のみを行った印刷文書を作成することも可能である。
【００４７】
すなわち、動画データから所定のレートに基づいて切り出した静止画像の印刷出力処理のみを行った場合、印刷文書には、静止画像が描画された状態でありＩＣタグには動画データは記録されていない。また、ＩＣタグへの動画データの記録処理のみを行った場合、作成された印刷文書のＩＣタグに動画データが記憶されているだけであって、静止画像は印刷されない。
【００４８】
図２は、本願発明の画像形成装置で記録したＩＣタグの情報を読み取る読取装置の一例を示すブロック図である。
【００４９】
図２には、読取装置の一例として携帯電話２０のブロック図を示している。
【００５０】
携帯電話２０は、ＩＣタグ読み取り部２１、記憶部２２、入力部２３、表示部２４、動画再生部２５、通信制御部２６を具備して構成され、動画データが記録されたＩＣタグを内蔵されたＩＣタグ読み取り部２１で読み取ることにより動画データを再生する。
【００５１】
ＩＣタグ読み取り部２１は、携帯電話の外縁に設けられており、印刷用紙のＩＣタグにＩＣタグ読み取り部２１を近づけるまたは接触させることによりＩＣタグに記録された動画データを読み取って携帯電話の記憶部２２に記憶する。
【００５２】
記憶部２２は、携帯電話の通信機能、ＩＣタグの読み取り機能、その読み取り機能で読み取った動画データの再生機能などの各種機能を実現するプログラムが記憶されているほか、ＩＣタグ読み取り部２１により読み取られた動画情報を記憶する。
【００５３】
入力部２３、表示部２４は、ユーザインターフェースであって、入力部２３は十字キーやボタンなどによって構成され、表示部２４は、ＬＣＤ（Liquid Crystal Display：液晶ディスプレイ）などによって構成される。入力部２３は、ＩＣタグ読み取り部２１によるＩＣタグの読み取りを操作するユーザインターフェースであり、読み取った動画データの再生を指示する。また、表示部２４は、再生された動画データを表示したり、各種設定情報を表示したりする。
【００５４】
動画再生部２５は、ＩＣタグ読み取り部２１で読み取って記憶部２２に記憶した動画データを入力部２３からの指示により表示部２４で表示させて再生する。
【００５５】
通信制御部２６は、ＣＰＵ（Central Processor Unit：中央演算装置）などによって構成され、ＩＣタグ読み取り部２１、記憶部２２、入力部２３、表示部２４、動画再生部２５をそれぞれ制御する。また、携帯電話の通話やデータ通信などをも制御する。
【００５６】
このような構成により、必要なときに動画データを再生することができる。
【００５７】
例えば、遊園地などの遊戯施設での一シーンを記録した動画データを従業員がカードサイズの画像形成媒体に内蔵されたＩＣタグに記録して配布し、遊戯客が図２に示すような構成が搭載された携帯電話を用いて動画を再生することにより即時にその動画内容を確認することができる。
【００５８】
以上に示す図１、図２を組み合わせることで動画データを容易に配布することができ、必要なときに必要な動画データを再生することができる。
【００５９】
なお、この動画データの配布では、複雑で大規模なネットワークインフラストラクチャが不要なため、コストパフォーマンスに優れた動画提供を行える。
【００６０】
図３は、本願発明の画像形成装置における印刷出力の処理の流れを示すフローチャートである。
【００６１】
図３において、画像形成装置に接続されたクライアントコンピュータから印刷要求を受け付けると処理が開始され、印刷要求に動画データが含まれるか判断し（Ｓ３０１）、含まれない場合（Ｓ３０１でＮＯ）には、通常の印刷出力処理を行う（Ｓ３０２）。それに対して、動画データが含まれた印刷要求を受け付けた場合（Ｓ３０１でＹＥＳ）には、続いて、印字する印刷用紙に動画データを記録するＩＣタグが内蔵されているか判断する（Ｓ３０３）。
【００６２】
ＩＣタグが内蔵されていない場合やＩＣタグが内蔵されている場合であってもＩＣタグに情報を記録できない場合（Ｓ３０３でＮＯ）には、図１に示す静止画の切り取りによる静止画像の印刷出力の処理のみを実行する（Ｓ３０４）。この処理（Ｓ３０４）では、ＩＣタグには動画データは記録されず静止画像のみが印刷される。
【００６３】
また、ＩＣタグが印刷用紙に内蔵されている場合（Ｓ３０３でＹＥＳ）には、続いて、その内蔵されたＩＣタグの記憶容量が送信されてきた動画データを記録できる容量であるか判断するために、ＩＣタグの記憶容量と動画データのサイズとを比較する（Ｓ３０５）。動画データのサイズがＩＣタグの記憶容量よりも大きい場合、すなわち、全ての動画データをＩＣタグに記録できない場合（Ｓ３０５でＮＯ）には、図１で示した動画データのサイズ調整を行う（Ｓ３０６）。
【００６４】
動画データのサイズ調整が行われるかまたはＩＣタグの記憶容量が動画データのサイズ以上である場合（Ｓ３０５でＹＥＳ）には、その動画データをＩＣタグへ書き込む処理が行われる（Ｓ３０７）。続いて、動画データから切り出した静止画像を印刷用紙に印字する（Ｓ３０４）。
【００６５】
このような処理により、動画データを印刷用紙に内蔵されたＩＣタグに記録すると共に静止画像をその印刷用紙に印字することができる。
【００６６】
図４は、本願発明の画像形成装置で印刷出力された画像形成媒体のＩＣタグから動画データを読み取る読取装置での処理の流れを示すフローチャートである。
【００６７】
図４において、読取装置の一例として図２に示すような携帯電話を例にした場合、携帯電話のＩＣタグ読み取り部を印刷用紙に内蔵するＩＣタグに接近させるか接触させると処理が開始され、ＩＣタグ読み取り部によって動画データが読み取られる（Ｓ４０１）。この読み取り処理により動画データが正常に読み取られたか判断し（Ｓ４０２）、正常に読み取れない場合（Ｓ４０２でＮＯ）には、表示部にエラー表示をして再度読み取り処理を実行する旨を表示させる（Ｓ４０３）。
【００６８】
読み取り処理により動画データを正常に読み取れた場合（Ｓ４０２でＹＥＳ）には、その旨を表示部に表示させて、携帯電話の操作者による再生ボタンの押下を待つ（Ｓ４０４）。再生ボタンが押下されると（Ｓ４０４でＹＥＳ）、動画データを再生する（Ｓ４０５）。
【００６９】
これにより、配布された印刷用紙に記録された動画データを再生することができる。
【００７０】
以上に示す実施例１では、ＩＣタグに記録された動画データに対する静止画を印字するようにしたので、静止画を参照するだけで記録された動画データの概要を把握することができるようになる。
【実施例２】
【００７１】
図５は、本発明に係わる画像形成装置および動画データ搭載画像形成媒体出力方法を適用して構成した他の画像形成装置のブロック構成図である。
【００７２】
図５は、図１に示す画像形成装置と類似するため異なる点を中心に説明する。そのため、図１に示す構成と同じ場合には図１と同じ符号を適用する。
【００７３】
図５に示す画像形成装置は、動画データ解析部１１、動画付帯情報取り出し部５１、媒体情報出力部１３、静止画郡情報調整部５２、ＩＣタグ情報記録部１５、記憶部１６、プリントエンジン１７を具備して構成され、動画データに付帯する各種情報を印刷出力し、静止画像の繋ぎあわせである静止画郡を記録する。
【００７４】
すなわち、実施例１の図１では、動画データから所定のレートで静止画像を切り出して印刷出力していたが、実施例２の図５では、タイトルなどのテキスト情報を印刷出力する。
【００７５】
図１同様、以下の２つの異なる論理パスによって構成される。
【００７６】
（３）動画データに付帯するテキスト情報を印刷出力するテキスト印刷出力パス
（４）静止画郡情報調整部５２を介した静止画郡の記録パス
まず、（３）動画データに付帯するテキスト情報を印刷出力するテキスト印刷出力パスの構成と処理内容を示す。
【００７７】
動画付帯情報取り出し部５１は、動画データの属性情報などに付帯された各種情報を取り出して記憶部１６に記憶する。付帯情報には、動画データのタイトル、作成日付、時間、動画時間、動画サイズ、チャプター情報などが含まれる。取り出した付帯情報を記憶部１６に記憶する。
【００７８】
媒体情報出力部１３は、動画付帯情報取り出し部５１で記憶した付帯情報をビットマップデータに変換してプリントエンジン１７に出力する。
【００７９】
次に、（４）静止画郡情報調整部５２を介した静止画郡の記録パスの構成と処理内容を示す。
【００８０】
静止画郡情報調整部５２は、動画データ解析部１１で解析した動画データから所定のレートで静止画像を切り出し、切り出した複数の静止画像をつなぎ合わせて静止画郡を作成する。作成した静止画郡は、スライド表示させることにより細切れの動画として再生することができる。
【００８１】
作成した静止画郡のデータサイズとＩＣタグ情報記録部１５で読み取ったＩＣタグの容量とを比較し、作成した静止画郡のデータサイズがＩＣタグの容量よりも大きい場合には、図１の動画サイズ調整部１４に示す調整方法（方法Ａ）〜（方法Ｃ）のいずれかを用いてデータサイズをＩＣタグの容量よりも小さく調整する。
【００８２】
ＩＣタグ情報記録部１５は、静止画郡情報調整部５２で作成した静止画郡をＩＣタグに記録する。また、静止画郡情報調整部５２からのＩＣタグ容量の要求に対して印刷する印刷用紙のＩＣタグの容量を読み取る。
【００８３】
このような構成では、図１に比べて印刷用紙に内蔵するＩＣタグの容量が小さい場合に特に有用である。これは、動画データを記録するよりも動画データの内容が理解できる程度に静止画像を切り出したて繋ぎ合わせた静止画郡の方のデータサイズが一般的に小さいことに帰属する。
【００８４】
以上のような処理により、付帯情報の印刷出力と静止画郡の記録を行うことができ、図１同様にこれらの各処理は相互間で連携して行われる。
【００８５】
そして、図５に示すような構成の場合、図２に示すような構成の読取装置による静止画郡の再生は、次のように行われる。
【００８６】
まず、印刷用紙のＩＣタグにＩＣタグ読み取り部２１を近づけるまたは接触させることによりＩＣタグに記録された静止画郡を読み取って携帯電話の記憶部２２に記憶する。次に、入力部２３からの指示により静止画郡の再生が指示されると、動画再生部２５が表示部２４に静止画郡のスライドショーを表示させる。
【００８７】
なお、複数の静止画郡がＩＣタグに記録されている場合には、入力部２３による操作により表示部２４に静止画郡の再生リストを表示させ、作成する静止画郡を選択できるようにしてもよい。
【００８８】
以上の処理によって、本発明の画像形成装置では、印刷用紙に内蔵するＩＣタグに動画データや静止画郡などのデジタルデータを記憶させることができるとともにその動画データにかかる情報を印刷出力することができる。
【００８９】
これによって、動画データや静止画郡を容易に持ち運べることが可能になる。
【００９０】
従って、本発明を適用することにより、必要なときに動画データを参照できるようになり、動画データの使用用途の向上とともに効率のよい情報伝達を可能にするという効果を期待できる。
【００９１】
また、動画データを記憶したＩＣタグを内蔵する印刷用紙にその動画データに係る情報を印刷するようにしたので、毎回、動画データを確認せずともその動画内容を判断することが可能になる。
【００９２】
さらに、ＩＣタグへの記録を行うことにより情報伝達ができるため大規模で複雑なネットワークインフラの整備が必要なくなり、コストパフォーマンスに優れるという効果をも期待できる。
【００９３】
本発明は、上記し、且つ図面に示す実施例に限定することなく、その要旨を変更しない範囲内で適宜変形して実施できるものである。
【００９４】
例えば、本願発明の実施例では、実施例１に「（１）静止画情報切り出し部１２による動画データにかかる静止画情報の印刷出力パス」と「（２）動画サイズ調整部１４を介した動画データの記録パス」、実施例２に「（３）動画データに付帯するテキスト情報を印刷出力するテキスト印刷出力パス」と「（４）静止画郡情報調整部５２を介した静止画郡の記録パス」の組み合わせを示しているが、これに限定されることなく、「（１）静止画情報切り出し部１２による動画データにかかる情報の印刷出力パス」と「（４）静止画郡情報調整部５２を介した静止画郡の記録パス」、「（２）動画サイズ調整部１４を介した動画データの記録パス」と「（３）動画データに付帯するテキスト情報を印刷出力するテキスト印刷出力パス」の組み合わせで処理を実現するような構成であってもよい。
【産業上の利用可能性】
【００９５】
本発明は、印刷用紙などの画像形成媒体に内蔵するＩＣタグやＲＦＩＤタグなどの記憶媒体に動画データを記録するとともに当該動画データに係る情報を当該画像形成媒体である印刷用紙に印刷出力する画像形成装置に適用可能であり、特に、必要なときに必要な場所でその動画データを簡単に確認したい場合に有用である。
【図面の簡単な説明】
【００９６】
【図１】本発明に係わる画像形成装置および動画データ搭載画像形成媒体出力方法を適用して構成した画像形成装置のブロック構成図。
【図２】本願発明の画像形成装置で記録したＩＣタグの情報を読み取る読取装置の一例を示すブロック図。
【図３】本願発明の画像形成装置における印刷出力の処理の流れを示すフローチャート。
【図４】本願発明の画像形成装置で印刷出力された画像形成媒体のＩＣタグから動画データを読み取る読取装置での処理の流れを示すフローチャート。
【図５】本発明に係わる画像形成装置および動画データ搭載画像形成媒体出力方法を適用して構成した他の画像形成装置のブロック構成図。
【符号の説明】
【００９７】
１０        画像形成装置
１１        動画データ解析部
１２        静止画情報切り出し部
１３        媒体情報出力部
１４        動画サイズ調整部
１５        ＩＣタグ情報記録部
１６        記憶部
１７        プリントエンジン
２０        読取装置（携帯電話）
２１        ＩＣタグ読み取り部
２２        記憶部
２３        入力部
２４        表示部
２５        動画再生部
２６        通信制御部
５１        動画付帯情報取り出し部
５２        静止画郡情報調整部
【図１】
2007083663.tif 000003
【図２】
2007083663.tif 000004
【図３】
2007083663.tif 000005
【図４】
2007083663.tif 000006
【図５】
2007083663.tif 000007